(57)【要約】【課題】安定した機能を長期間に亘り保持することのできる振動装置を提供する。【解決手段】ばね２７と、このばね２７に支持される振動子２５と、この振動子２５に連結され振動子２５とともに往復動される可動コイル２４と、この可動コイル２４と対向配置される永久磁石３４と、ばね２７を通して可動コイル２４に通電可能な通電手段３３とを設ける。【選択図】      図１
2004174310.tif 000002
【特許請求の範囲】
【請求項１】
ばねと、このばねに支持される振動子と、この振動子に連結され前記振動子とともに往復動される可動コイルと、この可動コイルと対向配置される永久磁石とを有し、前記可動コイルへの通電により前記可動コイルとともに前記振動子を往復動させる振動装置であって、
前記ばねを通して前記可動コイルに通電可能な通電手段を設けたことを特徴とする振動装置。
【請求項２】
前記通電手段が、前記ばねの一端部と前記可動コイルとを電気的に接続する内部リードと、前記ばねの他端部にその一端が電気的に接続される外部リードとを有していることを特徴とする請求項１に記載の振動装置。
【発明の詳細な説明】
【０００１】
【発明の属する技術分野】
本発明は、可動コイルへの通電により可動コイルとともに振動子を往復動させて振動を得ることのできる振動装置に関する。
【０００２】
【従来の技術】
従来から、ばねによって振動子（慣性体）を支持するとともに、永久磁石とこの永久磁石に対して対向配置された可動コイルを振動子に連結し、可動コイルに通電することにより、可動コイルとともに振動子を往復動させて振動を得ることのできる振動装置が提案されている（例えば、特許文献１参照）。
【０００３】
図２は従来の振動装置の一例を示すものであり、従来の振動装置１は、上下１対の上ケース２ａおよび下ケース２ｂにより形成されたケース本体２を有している。このケース本体２の内部の図１上下に示す高さ方向の中央部分には、平板状のガイドレール３がその厚さ方向をケース本体２の高さ方向に向けて水平に配設されている。このガイドレール３の両端部分は、ケース本体２に支持されている。
【０００４】
前記ガイドレール３には、走行子としての四角筒状に形成された可動コイル４が外装されている。また、可動コイル４の上面には、長方体状に形成された振動子（慣性体）５が連結されている。また、可動コイル４の図示しない電極には、通電に用いるリード６の一端が電気的に接続されており、このリード６の他端は、図示しない電源装置の駆動ドライバに電気的に接続されている。
【０００５】
前記振動子５の左右両側面には、振動子側ばね受け７がそれぞれ配設されている。そして、両振動子側ばね受け７には、２つのばね８の一端がそれぞれ支持されている。このばね８としては、コイルばねが用いられており、両ばね８の他端は、上ケース２ａの内側面に配設されたケース側ばね受け９にそれぞれ支持されている。
【０００６】
前記下ケース２ｂの内部の底面には、永久磁石１０が配設されている。
【０００７】
このような構成によれば、可動コイル４に対して所定のタイミングで電流の方向を切り換えながら通電することで、可動コイル４とともに振動子５をガイドレール３に沿って往復動させて振動を得ることができるようになっている。
【０００８】
【特許文献１】
特開平０９−１７８４９３号公報
【０００９】
【発明が解決しようとする課題】
ところで、従来の振動装置１における可動コイル４への通電にはリード６が用いられている。このリード６は、可動コイル４とともに往復動するので、可動コイル４の往復動にともなってリード６に屈曲が生じる。したがって、リード６が屈曲の繰り返しにより短時間で折損する確率が高いという問題点があった。
【００１０】
なお、このような問題点に対処する構成として、リード６に耐屈曲性に優れた可撓配線板を用いることが考えられる。しかしながら、リード６に可撓配線板を用いた場合には、可撓配線板の価格が高く、低コスト化の阻害要因となるという問題点がある。また、可撓配線板は、耐屈曲性に優れているものの、可動コイル４の往復動にともなって可撓配線板が屈曲するので、屈曲時に発生するトルク（屈曲トルク）が粘性抵抗となり、可動コイル４の円滑な往復動を阻害するという問題点があった。
【００１１】
本発明はこのような点に鑑みてなされたものであり、安定した機能を長期間に亘り保持することのできる振動装置を提供することを目的とする。
【００１２】
【課題を解決するための手段】
前述した目的を達成するため本発明に係る振動装置の特徴は、ばねと、このばねに支持される振動子と、この振動子に連結され振動子とともに往復動される可動コイルと、この可動コイルと対向配置される永久磁石とを有し、可動コイルへの通電により可動コイルとともに振動子を往復動させる振動装置であって、ばねを通して可動コイルに通電可能な通電手段を設けた点にある。ここで、通電手段としては、ばねの一端部と可動コイルとを電気的に接続する内部リードと、ばねの他端部にその一端が電気的に接続される外部リードとにより構成するとよい。そして、このような構成を採用したことにより、内部リードは、その形状を保持した状態で可動コイルとともに往復動するので屈曲しない。その結果、安定した機能を長期間に亘り保持することができる。
【００１３】
【発明の実施の形態】
以下、本発明を図面に示す実施形態により説明する。
【００１４】
図１は本発明に係る振動装置の実施形態の要部を示す断面図である。
【００１５】
図１に示すように、本実施形態の振動装置２１は、上下１対の上ケース２２ａおよび下ケース２２ｂにより形成されたケース本体２２を有している。このケース本体２２の内部の図１上下に示す高さ方向の中央部分には、平板状のガイドレール２３がその厚さ方向をケース本体２２の高さ方向に向けて水平に配設されている。そして、ガイドレール２３の両端部分は、ケース本体２２に支持されている。
【００１６】
前記ガイドレール２３には、走行子としての四角筒状に形成された可動コイル２４が外装されている。また、可動コイル２４の上面には、長方体状に形成された振動子（慣性体）２５が連結されている。なお、可動コイル２４と振動子２５とは、嵌合、固着などにより連結してもよいし、可動コイル２４に振動子２５を一体成形してもよい。また、可動コイル２４は、銅線などの非磁性体により形成されているので、後述する永久磁石３４に吸引されない。したがって、可動コイル２４と永久磁石３４との位置関係を厳密に規制しなくても円滑な動作を得ることができる。
【００１７】
前記振動子２５の左右両側面には、振動子側ばね受け２６がそれぞれ配設されている。そして、両振動子側ばね受け２６には、２つのばね２７の一端がそれぞれ支持されている。さらに、両ばね２７の他端は、上ケース２２ａの内側面に配設されたケース側ばね受け２８にそれぞれ支持されている。
【００１８】
なお、ばね２７としては、コイルばねなどの線形ばねあるいは不等ピッチコイルばねなどの非線形ばねを用いることができる。そして、ばね２７として非線形ばねを用いると、可動コイル２４に供給する電流の周波数にしたがって、振動子２５の駆動周波数をかえることができとともに、振動子２５および可動コイル２４の運動エネルギ（荷重）を受けて非線形ばねがたわむと、ばね定数および固有振動数が変わるので、外力の作用によって共振を起こすのを防止することができる。
【００１９】
また、振動子２５は、２つのばね２７のそれぞれの中心を連通するようにして上ケース２２ａの内部に水平配置された図１に２点鎖線で示すガイドロッド２９に摺動自在に装着する構成としてもよい。また、図１に長い破線で示すように、振動子２５の回転方向への移動を規制する１対のガイド板３０（一方のみ図示）を上ケース２２ａの内部の底面に設けるとよい。さらにまた、振動子２５の一側面に、ばね２７を配置する構成としてもよい。この場合、複数のばね２７を並列に配置することがばねの非線形特性を加算して強調することができるという意味で好ましい。
【００２０】
前記両ばね２７の上ケース２２ａの内側面と対向する端部（固定点）には外部リード３１の一端がそれぞれ電気的に接続されている。これらの外部リード３１の他端はケース本体２２の外側に延出されており、図示しない電源制御装置の駆動ドライバに電気的に接続されている。また、両ばね２７の振動子２５と対向する端部（固定点）には内部リード３２の一端がそれぞれ電気的に接続されており、これらの内部リード３２の他端は可動コイル２４の電極にそれぞれ電気的に接続されている。
【００２１】
前記外部リード３１および内部リード３２により本実施形態のばね２７を通して可動コイル２４に通電可能な通電手段３３が構成されている。
【００２２】
前記下ケース２２ｂの底面には、永久磁石３４が配設されている。
【００２３】
つぎに、前述した構成からなる本実施形態の作用について説明する。
【００２４】
本実施形態の振動装置２１によれば、可動コイル２４に対して所定のタイミングで電流の方向を切り換えながら通電することで、可動コイル２４とともに振動子２５をガイドレール２３に沿って往復動させることができる。そして、可動コイル２４および振動子２５の運動エネルギをコイルばね２７に蓄積することで大きな振動を容易に得ることができる。
【００２５】
この時、可動コイル２４に対する通電が、通電手段３３によりばね２７を介して行われる。そして、通電手段３３の一部を構成する内部リード３２は、その形状を保持した状態で可動コイル２４とともに往復動するので屈曲しない。勿論、外部リード３１は固定配置できるので、可動コイル２４の往復動によって屈曲することはない。
【００２６】
したがって、本実施形態の振動装置２１によれば、従来のリード６が屈曲によって短時間で破損するという不都合を確実に防止できるので、安定した機能を長期間に亘り保持することができる。
【００２７】
また、本実施形態の振動装置２１によれば、通電手段３３の内部リード３２として、可撓配線板を用いなくてすむので、従来の可撓配線板を用いた際のコスト上昇や、可動コイルの円滑な往復動を阻害するなどの不都合が生じることはない。
【００２８】
なお、本発明は、前記実施形態に限定されるものではなく、必要に応じて種々変更することができる。
【００２９】
【発明の効果】
以上説明したように本発明に係る振動装置によれば、安定した機能を長期間に亘り保持することができるなどの極めて優れた効果を奏する。
【図面の簡単な説明】
【図１】本発明に係る振動装置の実施形態の要部を示す断面図
【図２】従来の振動装置の要部を示す断面図
【符号の説明】
２１  振動装置
２２  ケース本体
２３  ガイドレール
２４  可動コイル
２５  振動子
２７  ばね
３１  外部リード
３２  内部リード
３３  通電手段
３４  永久磁石
【図１】
2004174310.tif 000003
【図２】
2004174310.tif 000004